(57)【特許請求の範囲】
【請求項１】
カラーフィルタアレイ基板であって、前記カラーフィルタアレイ基板は、
ガラス基板と、
前記ガラス基板の上方に設けられ、走査線及び薄膜電界効果トランジスタのゲートを含む第１金属層と、
前記第１金属層の上方に設けられる絶縁層と、
前記絶縁層の上方に設けられる活性層と、
前記活性層の両端の上方に設けられるオーミックコンタクト層と、
前記オーミックコンタクト層の上方に設けられ、データ線、及び薄膜電界効果トランジスタのソースとドレインを含む第２金属層と、
前記第２金属層の上方に設けられ、前記第２金属層とカラーフィルタ層を分離するための第１パッシベーション層と、
前記第１パッシベーション層の上方に設けられ、順次に配列された第１カラーレジスト、第２カラーレジスト及び第３カラーレジストを含むカラーフィルタ層と、
前記カラーフィルタ層の上方に設けられ、前記カラーフィルタ層と画素電極層を分離するための第２パッシベーション層と、
前記第２パッシベーション層の上方に設けられる前記画素電極層と、を含み、
前記カラーフィルタ層のカラーレジストの重なり位置にチャネルが開設され、Ｙ軸方向において、遮光のために、前記チャネルに対応する前記第１金属層上に共通電極線が設けられ、Ｘ軸方向において、遮光のために、前記チャネルに対応する前記第２金属層上に金属線が設けられ、前記カラーレジストの重なり位置は、隣接するカラーレジストのオーバーラップ領域であり、前記カラーレジストの重なり位置は、赤色カラーレジストと青色カラーレジストの重なり、赤色カラーレジストと緑色カラーレジストの重なり、又は、青色カラーレジストと緑色カラーレジストの重なりである、ことを特徴とするカラーフィルタアレイ基板。
【請求項２】
前記金属線は、ドレイン電極線の延長部分である、ことを特徴とする請求項１に記載のカラーフィルタアレイ基板。
【請求項３】
前記チャネルは、Ｙ軸方向におけるカラーレジストの重なり位置にそれぞれ開設される、ことを特徴とする請求項１に記載のカラーフィルタアレイ基板。
【請求項４】
前記チャネルはさらに、Ｘ軸方向におけるカラーレジストの重なり位置にそれぞれ開設される、ことを特徴とする請求項１に記載のカラーフィルタアレイ基板。
【請求項５】
カラーフィルタアレイ基板であって、前記カラーフィルタアレイ基板は、
ガラス基板と、
前記ガラス基板の上方に設けられ、走査線及び薄膜電界効果トランジスタのゲートを含む第１金属層と、
前記第１金属層の上方に設けられる絶縁層と、
前記絶縁層の上方に設けられる活性層と、
前記活性層の両端の上方に設けられるオーミックコンタクト層と、
前記オーミックコンタクト層の上方に設けられ、データ線、及び薄膜電界効果トランジスタのソースとドレインを含む第２金属層と、
前記第２金属層の上方に設けられ、前記第２金属層とカラーフィルタ層を分離するための第１パッシベーション層と、
前記第１パッシベーション層の上方に設けられ、順次に配列された第１カラーレジスト、第２カラーレジスト及び第３カラーレジストを含むカラーフィルタ層と、
前記カラーフィルタ層の上方に設けられ、前記カラーフィルタ層と画素電極層を分離するための第２パッシベーション層と、
前記第２パッシベーション層の上方に設けられる前記画素電極層と、を含み、
前記カラーフィルタ層のカラーレジストの重なり位置にチャネルが開設され、Y軸方向において、遮光のために、前記チャネルに対応する前記第１金属層上に共通電極線が設けられ、Ｘ軸方向において、遮光のために、前記チャネルに対応する前記第２金属層上に金属線が設けられ、前記カラーレジストの重なり位置は、隣接するカラーレジストのオーバーラップ領域であり、前記カラーフィルタアレイ基板は平坦化層を有しないことを特徴とするカラーフィルタアレイ基板。
【請求項６】
前記チャネルは、Ｙ軸方向におけるカラーレジストの重なり位置にそれぞれ開設される、ことを特徴とする請求項５に記載のカラーフィルタアレイ基板。
【請求項７】
前記チャネルはさらに、Ｘ軸方向におけるカラーレジストの重なり位置にそれぞれ開設される、ことを特徴とする請求項６に記載のカラーフィルタアレイ基板。
【請求項８】
前記金属線は、ドレイン電極線の延長部分である、ことを特徴とする請求項７に記載のカラーフィルタアレイ基板。
【請求項９】
前記カラーレジストの重なり位置は、赤色カラーレジストと青色カラーレジストの重なり、赤色カラーレジストと緑色カラーレジストの重なり、又は、青色カラーレジストと緑色カラーレジストの重なりである、ことを特徴とする請求項５に記載のカラーフィルタアレイ基板。
【請求項１０】
カラーフィルタアレイ基板であって、前記カラーフィルタアレイ基板は、
ガラス基板と、
前記ガラス基板の上方に設けられ、走査線及び薄膜電界効果トランジスタのゲートを含む第１金属層と、
前記第１金属層の上方に設けられる絶縁層と、
前記絶縁層の上方に設けられる活性層と、
前記活性層の両端の上方に設けられるオーミックコンタクト層と、
前記オーミックコンタクト層の上方に設けられ、データ線、及び薄膜電界効果トランジスタのソースとドレインを含む第２金属層と、
前記第２金属層の上方に設けられ、前記第２金属層とカラーフィルタ層を分離するための第１パッシベーション層と、
前記第１パッシベーション層の上方に設けられ、順次に配列された第１カラーレジスト、第２カラーレジスト及び第３カラーレジストを含むカラーフィルタ層と、
前記カラーフィルタ層の上方に設けられ、前記カラーフィルタ層と画素電極層を分離するための第２パッシベーション層と、
前記第２パッシベーション層の上方に設けられる前記画素電極層と、を含み、
前記カラーフィルタ層のカラーレジストの重なり位置にチャネルが開設され、Y軸方向において、遮光のために、前記チャネルに対応する前記第１金属層上に共通電極線が設けられ、Ｘ軸方向において、遮光のために、前記チャネルに対応する前記第２金属層上に金属線が設けられ、前記カラーレジストの重なり位置は、隣接するカラーレジストのオーバーラップ領域であり、前記カラーフィルタアレイ基板は平坦化層を有せず、前記金属線の幅は前記チャネルの幅以上である、ことを特徴とするカラーフィルタアレイ基板。
【請求項１１】
前記金属線は、ドレイン電極線の延長部分である、ことを特徴とする請求項１０に記載のカラーフィルタアレイ基板。
【請求項１２】
前記チャネルは、Ｘ軸方向におけるカラーレジストの重なり位置にそれぞれ開設される、ことを特徴とする請求項１０に記載のカラーフィルタアレイ基板。
【請求項１３】
前記カラーレジストの重なり位置は、赤色カラーレジストと青色カラーレジストの重なり、赤色カラーレジストと緑色カラーレジストの重なり、又は、青色カラーレジストと緑色カラーレジストの重なりである、ことを特徴とする請求項１０に記載のカラーフィルタアレイ基板。
【請求項１４】
請求項５〜９のいずれか一項に記載のカラーフィルタアレイ基板を含む液晶表示パネル。
【発明の詳細な説明】
【技術分野】
【０００１】
本発明は表示技術分野に関し、特にカラーフィルタアレイ基板及び液晶表示パネルに関する。
【背景技術】
【０００２】
ＢＣＳ／ＢＭ  ｌｅｓｓ技術がＬＣＤパネルに使用されると、１つのＢＭの使用を減少し、コストを節約することができる。ＢＣＳ（ｂｌａｃｋ  ｃｏｌｕｍｎ  ｓｐａｃｅ、ブラックカラムスペーサ）技術には、黒色材料が使用される。黒色材料の作用は、周辺に、ＢＭの代わりに黒色材料を直接使用して遮光作用を果たすことができ、もう１つの作用は、エリアＡＡにおいてセルの厚さを支持することである。エリアＡＡでの走査線（ｇａｔｅ）及びデータ線（ｄａｔａ）に対する遮光は、カラーレジストスタックと金属の交互により実現される。カラーレジストの重なりについては、一般的に、赤色と青色の重なりが使用される。その理由は、２つの色の波スペクトルには交差部分がなく、遮光の効果がより良好であることである。
【０００３】
ＢＣＳ／ＢＭ  ｌｅｓｓ技術による市場で現在入手可能な製品は、ＩＰＳ技術を使用するものである。ＩＰＳ技術には、１層の平坦化層（ＰＦＡ）が使用されて、カラーレジストの重なりによる突起が平坦化される。しかしながら、ＨＶＡモードに対してＢＣＳ／ＢＭ  ｌｅｓｓ技術を使用する場合、平坦化層の使用は、ＨＶＡのコストを増加させるため、ＨＶＡ技術には平坦化層が使用されない。ＨＶＡモードのＢＣＳ／ＢＭ  ｌｅｓｓ技術において、カラーレジストの重なり位置に四方で突出する問題が発生し、ＰＩ塗布及び液晶滴下の製造プロセス中に、四方で突出する阻止壁により、ＰＩ及び液晶の流動が不均一になり、表示効果に影響を及ぼす。
【０００４】
従って、上記の課題を解決するために、新たな技術的手段を提案することが必要である。
【発明の概要】
【発明が解決しようとする課題】
【０００５】
本発明の目的は、ＨＶＡモードのＢＣＳ／ＢＭ  ｌｅｓｓ技術において、カラーレジストの重なり位置に四方で突出する問題が発生し、ＰＩ塗布及び液晶滴下の製造プロセス中に、四方で突出する阻止壁により、ＰＩ及び液晶の流動が不均一になり、表示効果に影響を及ぼすという従来技術における問題を解決するために、カラーフィルタアレイ基板及び液晶表示パネルを提供することである。
【課題を解決するための手段】
【０００６】
上記課題を解決するために、本発明は以下の技術的手段を提供している。
カラーフィルタアレイ基板が提供され、前記カラーフィルタアレイ基板は、
ガラス基板と、
前記ガラス基板の上方に設けられ、走査線及び薄膜電界効果トランジスタのゲートを含む第１金属層と、
前記第１金属層の上方に設けられる絶縁層と、
前記絶縁層の上方に設けられる活性層と、
前記活性層の両端の上方に設けられるオーミックコンタクト層と、
前記オーミックコンタクト層の上方に設けられ、データ線、及び薄膜電界効果トランジスタのソースとドレインを含む前記第２金属層と、
前記第２金属層の上方に設けられ、前記第２金属層とカラーフィルタ層を分離するための第１パッシベーション層と、
前記第１パッシベーション層の上方に設けられ、順次に配列された第１カラーレジスト、第２カラーレジスト及び第３カラーレジストを含むカラーフィルタ層と、
前記カラーフィルタ層の上方に設けられ、前記カラーフィルタ層と画素電極層を分離するための第２パッシベーション層と、
前記第２パッシベーション層の上方に設けられる前記画素電極層と、を含み、
前記カラーフィルタ層のカラーレジストの重なり位置にチャネルが開設され、Ｙ軸方向において、遮光のために、前記チャネルに対応する前記第１金属層上に共通電極線が設けられ、Ｘ軸方向において、遮光のために、前記チャネルに対応する前記第２金属層上に金属線が設けられ、前記カラーレジストの重なり位置は、隣接するカラーレジストのオーバーラップ領域であり、前記カラーレジストの重なり位置は、赤色カラーレジストと青色カラーレジストの重なり、赤色カラーレジストと緑色カラーレジストの重なり、又は、青色カラーレジストと緑色カラーレジストの重なりである。
【０００７】
前記金属線は、ドレイン電極線の延長部分である。
【０００８】
前記チャネルは、Ｙ軸方向におけるカラーレジストの重なり位置にそれぞれ開設される。
【０００９】
前記チャネルはさらに、Ｘ軸方向におけるカラーレジストの重なり位置にそれぞれ開設される。
【００１０】
カラーフィルタアレイ基板が提供され、前記カラーフィルタアレイ基板は、
ガラス基板と、
前記ガラス基板の上方に設けられ、走査線及び薄膜電界効果トランジスタのゲートを含む第１金属層と、
前記第１金属層の上方に設けられる絶縁層と、
前記絶縁層の上方に設けられる活性層と、
前記活性層の両端の上方に設けられるオーミックコンタクト層と、
前記オーミックコンタクト層の上方に設けられ、データ線、及び薄膜電界効果トランジスタのソースとドレインを含む前記第２金属層と、
前記第２金属層の上方に設けられ、前記第２金属層とカラーフィルタ層を分離するための第１パッシベーション層と、
前記第１パッシベーション層の上方に設けられ、順次に配列された第１カラーレジスト、第２カラーレジスト及び第３カラーレジストを含むカラーフィルタ層と、
前記カラーフィルタ層の上方に設けられ、前記カラーフィルタ層と画素電極層を分離するための第２パッシベーション層と、
前記第２パッシベーション層の上方に設けられる前記画素電極層と、を含み、
前記カラーフィルタ層のカラーレジストの重なり位置にチャネルが開設され、遮光のために、前記チャネルに対応する前記第１金属層に共通電極線が設けられ、前記カラーレジストの重なり位置は、隣接するカラーレジストのオーバーラップ領域である。
【００１１】
好ましくは、前記カラーフィルタアレイ基板において、前記チャネルは、Ｙ軸方向におけるカラーレジストの重なり位置にそれぞれ開設される。
【００１２】
好ましくは、前記カラーフィルタアレイ基板において、前記チャネルはさらに、Ｘ軸方向におけるカラーレジストの重なり位置にそれぞれ開設され、遮光のために、前記チャネルに対応する前記第２金属層上に金属線が設けられる。
【００１３】
好ましくは、前記カラーフィルタアレイ基板において、前記金属線は、ドレイン電極線の延長部分である。
【００１４】
好ましくは、前記カラーフィルタアレイ基板において、前記カラーレジストの重なり位置は、赤色カラーレジストと青色カラーレジストの重なり、赤色カラーレジストと緑色カラーレジストの重なり、又は、青色カラーレジストと緑色カラーレジストの重なりである。
【００１５】
カラーフィルタアレイ基板が提供され、前記カラーフィルタアレイ基板は、
ガラス基板と、
前記ガラス基板の上方に設けられ、走査線及び薄膜電界効果トランジスタのゲートを含む第１金属層と、
前記第１金属層の上方に設けられる絶縁層と、
前記絶縁層の上方に設けられる活性層と、
前記活性層の両端の上方に設けられるオーミックコンタクト層と、
前記オーミックコンタクト層の上方に設けられ、データ線、及び薄膜電界効果トランジスタのソースとドレインを含む前記第２金属層と、
前記第２金属層の上方に設けられ、前記第２金属層とカラーフィルタ層を分離するための第１パッシベーション層と、
前記第１パッシベーション層の上方に設けられ、順次に配列された第１カラーレジスト、第２カラーレジスト及び第３カラーレジストを含むカラーフィルタ層と、
前記カラーフィルタ層の上方に設けられ、前記カラーフィルタ層と画素電極層を分離するための第２パッシベーション層と、
前記第２パッシベーション層の上方に設けられる前記画素電極層と、を含み、
前記カラーフィルタ層のカラーレジストの重なり位置にチャネルが開設され、遮光のために、前記チャネルに対応する前記第２金属層に金属線が設けられ、前記カラーレジストの重なり位置は、隣接するカラーレジストのオーバーラップ領域である。
【００１６】
好ましくは、前記カラーフィルタアレイ基板において、前記金属線は、ドレイン電極線の延長部分である。
【００１７】
好ましくは、前記カラーフィルタアレイ基板において、前記チャネルは、Ｘ軸方向におけるカラーレジストの重なり位置にそれぞれ開設される。
【００１８】
好ましくは、前記カラーフィルタアレイ基板において、前記金属線の幅は、前記チャネルの幅以上である。
【００１９】
好ましくは、前記カラーフィルタアレイ基板において、前記カラーレジストの重なり位置は、赤色カラーレジストと青色カラーレジストの重なり、赤色カラーレジストと緑色カラーレジストの重なり、又は、青色カラーレジストと緑色カラーレジストの重なりである。
【００２０】
上述したカラーフィルタアレイ基板を含む液晶表示パネルが提供される。
【発明の効果】
【００２１】
従来技術と比較して、コストを増加させないために、本発明は、平坦化層を増加させずにＰＩ及び液晶の流動性を増加させるように、カラーレジストスタックの構造を変更する。即ち、カラーフィルタ層のカラーレジストの重なり位置にチャネルが開設される。このとき、チャネルでカラーレジストが一層しか存在しないため、遮光作用を果たすことができず、光漏れのリスクがある。この場合に、本発明は、Ｙ軸方向において、前記チャネルに対応する前記第１金属層上に共通電極線を設け、且つＸ軸方向において、前記チャネルに対応する前記第２金属層上に金属線を設けることによって、ここでの光漏れを回避する。本発明の実施例は、光漏れを効果的に遮蔽するだけでなく、ＰＩ及び液晶の流動性を増加させることもできる。
【００２２】
本発明の上記内容を更に分かり易くするために、以下において実施例を挙げ、図面と併せて詳細に説明する。
【図面の簡単な説明】
【００２３】
【図１】本発明の実施例によるカラーフィルタアレイ基板の構造模式図である。
【図２】本発明の実施例による共通電極線を用いてチャネルを遮蔽する構造模式図である。
【図３】本発明の実施例によるドレイン電極の位置に金属線を追加してチャネルを遮蔽する構造模式図である。
【発明を実施するための形態】
【００２４】
本明細書において、用語「実施例」は、実例、例示又は例証として使用されることが意図されている。さらに、本明細書及び添付した特許請求の範囲で使用される冠詞「一」は、別段の指定がない限り、又は、単数形を意図する文脈から明らかでない限り、一般的に、一般的に、「１つ又は複数」を意味すると解釈され得る。
【００２５】
本発明の実施例において、コストを増加させないために、本発明は、平坦化層を増加させずにＰＩ及び液晶の流動性を増加させるように、カラーレジストスタックの構造を変更する。即ち、カラーフィルタ層のカラーレジストの重なり位置にチャネルが開設される。このとき、チャネルでカラーレジストが一層しか存在しないため、遮光作用を果たすことができず、光漏れのリスクがある。この場合に、本発明は、Ｙ軸方向において、前記チャネルに対応する前記第１金属層上に共通電極線を設け、且つＸ軸方向において、前記チャネルに対応する前記第２金属層上に金属線を設けることによって、ここでの光漏れを回避する。
【００２６】
下記では、具体的な実施例を用いて、本発明の技術方案を説明する。
【００２７】
図１は、本発明の実施例によるカラーフィルタアレイ基板の構造模式図である。説明を簡単にするために、本発明の実施例に関連する部分のみが示されている。
【００２８】
カラーフィルタアレイ基板は、ガラス基板１０１と、第１金属層１０２と、絶縁層１０３と、活性層１０４と、オーミックコンタクト層１０５と、第２金属層１０６と、第１パッシベーション層１０７と、カラーフィルタ層１０８と、第２パッシベーション層１０９と、画素電極層１１０とを含む。ここで、第１金属層１０２は、前記ガラス基板１０１の上方に設けられる。前記第１金属層１０２は、走査線及び薄膜電界効果トランジスタのゲートを含む。前記絶縁層１０３は、前記第１金属層１０２の上方に設けられる。前記活性層１０４は、前記第１金属層１０２がオンされると、ソースの電荷をドレインに導通させることができるために、前記絶縁層１０３の上方に設けられる。前記オーミックコンタクト層１０５は、前記第２金属層１０６と前記活性層１０４との接触抵抗を小さくして導通を容易にするために、前記活性層１０４の両端の上方に設けられる。前記第２金属層１０６は、前記オーミックコンタクト層１０５の上方に設けられる。前記第２金属層１０６は、データ線、薄膜電界効果トランジスタのソースとドレインを含む。前記第１パッシベーション層１０７は、前記第２金属層１０６とカラーフィルタ層１０８を分離するために、前記第２金属層１０６の上方に設けられる。前記カラーフィルタ層１０８は、前記第１パッシベーション層１０７の上方に設けられる。前記カラーフィルタ層１０８は、順次に配列された第１カラーレジスト、第２カラーレジスト及び第３カラーレジストを含む。前記第２パッシベーション層１０９は、前記カラーフィルタ層１０８と画素電極層１１０を分離するために、前記カラーフィルタ層１０８の上方に設けられる。前記画素電極層１１０は、前記第２パッシベーション層１０９の上方に設けられる。
【００２９】
図２は、本発明の実施例による共通電極線を用いてチャネルを遮蔽する構造模式図である。前記カラーフィルタ層１０８のカラーレジストの重なり位置にチャネル１１１が開設され、遮光のために、前記チャネル１１１に対応する前記第１金属層１０２上に共通電極線１１２が設けられる。前記カラーレジストの重なり位置は、隣接するカラーレジストのオーバーラップ領域である。
【００３０】
本発明の実施例では、前記チャネル１１１は、Ｙ軸方向におけるカラーレジストの重なり位置にそれぞれ開設される。Ｙ軸方向において、遮光のために、前記チャネル１１１に対応する前記第１金属層１０２上に共通電極線１１２が設けられる。即ち、前記データ線の方向では、前記チャネル１１１に対応する前記共通電極線の幅を広げて遮光を実現する。好ましくは、前記チャネルに対応する前記共通電極線の幅は、前記チャネルの幅以上である。
【００３１】
本発明の実施例では、カラーレジストの重なり位置は、赤色カラーレジストと青色カラーレジストの重なり、赤色カラーレジストと緑色カラーレジストの重なり、又は、青色カラーレジストと緑色カラーレジストの重なりであってもよい。例えば、赤色カラーレジストと青色カラーレジストの重なりの場合、チャネルが掘り込まれたカラーレジストは、青色カラーレジストであってもよく、赤色カラーレジストにはチャネルが掘り込まれてもよい。
【００３２】
図１及び図３は、本発明の実施例によるドレイン電極の位置に金属線を追加してチャネルを遮蔽する構造模式図である。
【００３３】
カラーフィルタアレイ基板は、ガラス基板１０１と、第１金属層１０２と、絶縁層１０３と、活性層１０４と、オーミックコンタクト層１０５と、第２金属層１０６と、第１パッシベーション層１０７と、カラーフィルタ層１０８と、第２パッシベーション層１０９と、画素電極層１１０とを含む。ここで、第１金属層１０２は、前記ガラス基板１０１の上方に設けられる。前記第１金属層１０２は、走査線及び薄膜電界効果トランジスタのゲートを含む。前記絶縁層１０３は、前記第１金属層１０２の上方に設けられる。前記活性層１０４は、前記第１金属層１０２がオンされると、ソースの電荷をドレインに導通させることができるために、前記絶縁層１０３の上方に設けられる。前記オーミックコンタクト層１０５は、前記第２金属層１０６と前記活性層１０４との接触抵抗を小さくして導通を容易にするために、前記活性層１０４の両端の上方に設けられる。前記第２金属層１０６は、前記オーミックコンタクト層１０５の上方に設けられる。前記第２金属層１０６は、データ線、薄膜電界効果トランジスタのソースとドレインを含む。前記第１パッシベーション層１０７は、前記第２金属層１０６とカラーフィルタ層１０８を分離するために、前記第２金属層１０６の上方に設けられる。前記カラーフィルタ層１０８は、前記第１パッシベーション層１０７の上方に設けられる。前記カラーフィルタ層１０８は、順次に配列された第１カラーレジスト、第２カラーレジスト及び第３カラーレジストを含む。前記第２パッシベーション層１０９は、前記カラーフィルタ層１０８と画素電極層１１０を分離するために、前記カラーフィルタ層１０８の上方に設けられる。前記画素電極層１１０は、前記第２パッシベーション層１０９の上方に設けられる。
【００３４】
本発明の実施例において、前記カラーフィルタ層１０８のカラーレジストの重なり位置にチャネル１１１が開設され、遮光のために、前記チャネル１１１に対応する前記第２金属層１０６上に金属線１１３が設けられ、前記カラーレジストの重なり位置は、隣接するカラーレジストのオーバーラップ領域である。
【００３５】
本発明の実施例において、前記チャネル１１１は、Ｘ軸方向におけるカラーレジストの重なり位置にそれぞれ開設される。Ｘ軸方向において、遮光のために、前記チャネル１１１に対応する前記第２金属層１０６上に金属線１１３が設けられる。本実施例において、前記金属線１１３は、ドレイン電極線の延長部分である。即ち、前記走査線の方向において、遮光を実現するために、ドレイン電極線を前記チャネルの位置に延長することによって、延長された部分がチャネルを遮蔽することができれば十分である。前記金属線１１３の幅は、前記チャネルの幅以上である。
【００３６】
本発明の実施例では、カラーレジストの重なり位置は、赤色カラーレジストと青色カラーレジストの重なり、赤色カラーレジストと緑色カラーレジストの重なり、又は、青色カラーレジストと緑色カラーレジストの重なりであってもよい。例えば、赤色カラーレジストと青色カラーレジストの重なりの場合、チャネルが掘り込まれたカラーレジストは、青色カラーレジストであってもよく、赤色カラーレジストにはチャネルが掘り込まれてもよい。
【００３７】
本発明の実施例は液晶表示パネルをさらに提供する。前記液晶表示パネルは、カラーフィルタアレイ基板及び液晶層を含む。前記カラーフィルタアレイ基板は、ガラス基板１０１と、第１金属層１０２と、絶縁層１０３と、活性層１０４と、オーミックコンタクト層１０５と、第２金属層１０６と、第１パッシベーション層１０７と、カラーフィルタ層１０８と、第２パッシベーション層１０９と、画素電極層１１０とを含む。ここで、第１金属層１０２は、前記ガラス基板１０１の上方に設けられる。前記第１金属層１０２は、走査線及び薄膜電界効果トランジスタのゲートを含む。前記絶縁層１０３は、前記第１金属層１０２の上方に設けられる。前記活性層１０４は、前記第１金属層１０２がオンされると、ソースの電荷をドレインに導通させることができるために、前記絶縁層１０３の上方に設けられる。前記オーミックコンタクト層１０５は、前記第２金属層１０６と前記活性層１０４との接触抵抗を小さくして導通を容易にするために、前記活性層１０４の両端の上方に設けられる。前記第２金属層１０６は、前記オーミックコンタクト層１０５の上方に設けられる。前記第２金属層１０６は、データ線、薄膜電界効果トランジスタのソースとドレインを含む。前記第１パッシベーション層１０７は、前記第２金属層１０６とカラーフィルタ層１０８を分離するために、前記第２金属層１０６の上方に設けられる。前記カラーフィルタ層１０８は、前記第１パッシベーション層１０７の上方に設けられる。前記カラーフィルタ層１０８は、順次に配列された第１カラーレジスト、第２カラーレジスト及び第３カラーレジストを含む。前記第２パッシベーション層１０９は、前記カラーフィルタ層１０８と画素電極層１１０を分離するために、前記カラーフィルタ層１０８の上方に設けられる。前記画素電極層１１０は、前記第２パッシベーション層１０９の上方に設けられる。
【００３８】
本発明の実施例において、前記カラーフィルタ層１０８のカラーレジストの重なり位置にはチャネル１１１が開設される。具体的には、前記チャネル１１１は、Ｙ軸方向におけるカラーレジストの重なり位置にそれぞれ開設される。前記チャネル１１１はさらに、Ｘ軸方向におけるカラーレジストの重なり位置にそれぞれ開設される。前記カラーレジスト重ね位置は、隣接するカラーレジストのオーバーラップ領域である。
【００３９】
本発明の実施例では、Ｙ軸方向において、遮光のために、前記チャネル１１１に対応する前記第１金属層１０２上に共通電極線１１２が設けられる。即ち、前記データ線の方向では、前記チャネル１１１に対応する前記共通電極線の幅を広げて遮光を実現する。好ましくは、前記チャネルに対応する前記共通電極線の幅は、前記チャネルの幅以上である。
【００４０】
本発明の実施例において、Ｘ軸方向において、遮光のために、前記チャネル１１１に対応する前記第２金属層１０６上に金属線１１３が設けられる。本実施例において、前記金属線１１３は、ドレイン電極線の延長部分である。即ち、前記走査線の方向において、遮光を実現するために、ドレイン電極線を前記チャネルの位置に延長することによって、延長された部分がチャネルを遮蔽することができれば十分である。前記金属線１１３の幅は、前記チャネルの幅以上である。
【００４１】
本発明の実施例では、カラーレジストの重なり位置は、赤色カラーレジストと青色カラーレジストの重なり、赤色カラーレジストと緑色カラーレジストの重なり、又は、青色カラーレジストと緑色カラーレジストの重なりであってもよい。例えば、赤色カラーレジストと青色カラーレジストの重なりの場合、チャネルが掘り込まれたカラーレジストは、青色カラーレジストであってもよく、赤色カラーレジストにはチャネルが掘り込まれてもよい。
【００４２】
以上により、コストを増加させないために、本発明は、平坦化層を増加させずにＰＩ及び液晶の流動性を増加させるように、カラーレジストスタックの構造を変更する。即ち、カラーフィルタ層のカラーレジストの重なり位置にチャネルが開設される。このとき、チャネルでカラーレジストが一層しか存在しないため、遮光作用を果たすことができず、光漏れのリスクがある。この場合に、本発明は、Ｙ軸方向において、前記チャネルに対応する前記第１金属層上に共通電極線を設け、且つＸ軸方向において、前記チャネルに対応する前記第２金属層上に金属線を設けることによって、ここでの光漏れを回避する。本発明の実施例は、光漏れを効果的に遮蔽するだけでなく、ＰＩ及び液晶の流動性を増加させることもできる。
【００４３】
１つ以上の実施形態に関して本発明を図示及び説明したが、当業者は、本明細書及び添付の図面を読んで理解した上で、同等の変形及び修正を想到することができる。本発明は、このようなすべての修正及び変形を含み、特許請求の範囲のみによって限定される。特に、上記の構成要素によって実行される様々な機能に関して、そのような構成要素を記述するための用語は、構造が本明細書の例示的な実施形態における機能の開示された構造と同一でない場合であっても、該構成要素の特定の機能（例えば、それは機能的に等価である）を実行する任意の構成要素（特に指示のない限り）に対応することが意図されている。さらに、本明細書の特定の特徴は、幾つかの実施形態のうちの１つのみに関して開示されているが、そのような特徴は、例えば指定の又は特定の用途に対して望ましい及び有利であり得る１つまたは複数の他の実施形態と組み合わせることができる。また、用語「含む」、「有する」、「含有する」、又はそれらの変形が、具体的な実施形態又は特許請求の範囲で使用されている限り、これら用語は、用語「含む」と同様に、包括的であることが意図される。
【００４４】
以上により、本発明では好適な実施例を前述の通り開示したが、上述の好適な実施例は本発明を限定するものでなく、当業者であれば、本発明の精神と範囲から逸脱しない限り、多様の変更や修正を加えることができる。従って、本発明の保護範囲は、特許請求の範囲で指定された範囲を基準とする。
【図１】
0006564526.tif 000002
【図２】
0006564526.tif 000003
【図３】
0006564526.tif 000004